(57)【要約】【課題】メダル投入口を邪魔部材により囲うようにして不正用遮光板の侵入を阻止することによりこれによる不正行為を防止するようにした不正防止具および該不正防止具を備えた遊技機を提供する。【解決手段】メダル投入口４の一側に立設したメダル投入用のガイド板６の外周縁に沿って配置されその外周縁を囲うと共に前記メダル投入口４側へ所定の幅突出して該メダル投入口４を囲うアーチ状の邪魔部材２６を有し、前記邪魔部材２６により前記メダル投入口４内への不正用遮光板Ｂの侵入を阻止するようにした。【選択図】図３
2005185359.tif 000002
【特許請求の範囲】
【請求項１】
メダル投入口の一側に立設したメダル投入用のガイド板の外周縁に沿って配置されその外周縁を囲うと共に前記メダル投入口側へ所定の幅突出して該メダル投入口を囲うアーチ状の邪魔部材を有し、前記邪魔部材により前記メダル投入口内への不正用遮光板の侵入を阻止するようにした不正防止具。
【請求項２】
メダル投入口の一側に立設したメダル投入用のガイド板の外周縁に沿って配置されその外周縁を囲うと共に前記メダル投入口側へ所定の幅突出して該メダル投入口を囲うアーチ状の邪魔部材を有し、前記邪魔部材により前記メダル投入口内への不正用遮光板の侵入を阻止するようにした不正防止具を備えた遊技機。
【発明の詳細な説明】
【技術分野】
【０００１】
本発明は、メダルを投入して遊技するスロットマシン等の遊技機であって、その不正を防止する不正防止具および該不正防止具を備えた遊技機に関するものである。
【背景技術】
【０００２】
従来、この種遊技機の一種であるスロットマシンは、前面の一側に上面が開口する横向きのメダル投入口が設けられ、このメダル投入口の一側すなわち後端部にメダル投入口と接しメダルが投入し易いように上方へ立設するガイド板が設けられている。また、メダル投入口の下方には投入されたメダルを検出する投入メダル検出装置が配置される。この投入メダル検出装置１４は、図６（イ）に示すように、メダル投入口４から投入されたメダルＭが流下するメダル誘導樋１７と、このメダル誘導樋１７の下流側に設けられ流下するメダルＭをカウントするメダル計数器１８と、メダル誘導樋１７の上流側に設けられ流下するメダルＭの流下方向を切り替えてメダルＭを機外へ排出するメダル振分器２１とを備え、更に、前記メダル振分器２１の上流側には比較的硬い合成樹脂製のセル板と称する不正用遮光板Ｂを侵入させて行われる不正行為を防止するため通過方向検知装置２３が配置されている（例えば、特許文献１参照。）。
【特許文献１】特開平７−５９９０１号公報（第２−４頁、図１）
【０００３】
前記メダル計数器１８は２個の光センサー１９ａ，１９ｂを有し、メダルＭの通過個数とその流下方向を検知するようにしている。このように流下方向を検知するのは、例えば図６（ロ）に示すように前記メダル投入口４からメダル誘導樋１７内に不正用遮光板Ｂを侵入させ、該不正用遮光板Ｂで前記光センサー１９ａ，１９ｂを遮光することでメダル計数器１８を不正に作動させるおそれがあることから、不正用遮光板Ｂを引き抜く際に不正と判断するためである。不正用遮光板Ｂは比較的硬いためメダル投入口４にはその真上から侵入させる必要があるが、このメダル投入口４の上方には何ら障害物がないことから、その侵入が簡単に行なえるようになっている。
【０００４】
ところが、通常、メダルＭの機内への飲み込みを防止するため、スロットマシンのスタートスイッチの操作後は、メダル計数器１８の検知を停止している。このため、不正用遮光板Ｂをメダル投入口４から侵入させ、メダル計数器１８を検知させた後にスタートスイッチを操作し、その後に不正用遮光板Ｂを引き抜くと不正を検知できなくなってしまう。そこで、前記のように不正用遮光板Ｂを引き抜こうとする際、前記通過方向検知装置２３の光センサー２４ａ，２４ｂにより通過方向が検知され、スタートスイッチの操作後も不正用遮光板Ｂの引き抜きを検出して不正を防止するようにしている。
【発明の開示】
【発明が解決しようとする課題】
【０００５】
しかしながら、前記のように通過方向検知装置２３を設けたとしても、前記メダル計数器１８や通過方向検知装置２３における両光センサー１９ａ，１９ｂ，２４ａ，２４ｂとメダル誘導樋１７の底面との間には一定の間隔があり、不正用遮光板Ｂの幅を細めるなどして前記通過方向検知装置２３の両光センサー２４ａ，２４ｂをかいくぐり、メダル計数器１８の光センサー１９ａ，１９ｂを遮光して作動させてしまうといった不正行為が後を断たないのが現状である。
【０００６】
そこで、本発明は上記課題に鑑みてなされたもので、メダル投入口を邪魔部材により囲うようにして遮光板の侵入を阻止することにより、これによる不正行為を防止するようにした不正防止具および該不正防止具を備えた遊技機を提供することを目的とするものである。
【課題を解決するための手段】
【０００７】
かかる目的を達成するため、本発明に係る不正防止具は、メダル投入口の一側に立設したメダル投入用のガイド板の外周縁に沿って配置されその外周縁を囲うと共に前記メダル投入口側へ所定の幅突出して該メダル投入口を囲うアーチ状の邪魔部材を有し、前記邪魔部材により前記メダル投入口内への不正用遮光板の侵入を阻止するようにした構成からなる。
【０００８】
また、遊技機は、メダル投入口の一側に立設したメダル投入用のガイド板の外周縁に沿って配置されその外周縁を囲うと共に前記メダル投入口側へ所定の幅突出して該メダル投入口を囲うアーチ状の邪魔部材を有し、前記邪魔部材により前記メダル投入口内への不正用遮光板の侵入を阻止するようにした不正防止具を備えてなる。
【発明の効果】
【０００９】
本発明に係る不正防止具は、メダル投入口の一側に立設したメダル投入用のガイド板の外周縁に沿って配置されその外周縁を囲うと共に前記メダル投入口側へ所定の幅突出して該メダル投入口を囲うアーチ状の邪魔部材を有するので、この不正防止具を遊技機に備えるようにすれば、邪魔部材により邪魔されてメダル投入口から不正用遮光板を侵入させることができなくなり、これによる不正行為が防止されるという有益な効果がある。
【発明を実施するための最良の形態】
【００１０】
以下、本発明に係る不正防止具および該不正防止具を備えた遊技機の実施の形態を図面に基づき説明する。本発明では、遊技機の一例としてスロットマシンについて説明する。図１は本発明に係る不正防止具が適用されるスロットマシンの正面図である。図中、Ｓはスロットマシンである。このスロットマシンＳの前面ほぼ中央部に窓開口１が開設され、この窓開口１に文字、数字等の情報が外周面に沿って複数個並んだ３個のリール２，２，２が臨んでいる。これら３個のリール２，２，２は鉛直面内で回転するようになっている。
【００１１】
前記窓開口１の下方に水平な段部３が成形され、その段部３の一側にメダル投入口４が配置される。メダル投入口４を更に詳しく説明する。段部３の上面に基台５が設けられる。基台５の上面５ａはメダルＭの外周面が摺接する大きさであって前後に伸びる円弧状面に成形され、その後端部にメダル投入口４が開設される。よって、メダル投入口４の前端縁は円弧状をなす。そして、メダル投入口４の後端縁に接するようにして上方へ起立するメダル投入用のガイド板６が立設されている。遊技者は指先でメダルＭを前記がイド板６の前面６ａに押し付けた状態で放すと、メダルＭがメダル投入口４に自然と落下する。前記がイド板６の上端縁は円弧状に成形される。
【００１２】
スロットマシンＳの前面であって前記段部３の下方に前記各リール２を回転させる始動レバー７が取着され、その一側に回転する各リール２にそれぞれ対応して該各リール２を所望の位置で停止させる停止釦スイッチ８が３個並設されている。更に、スロットマシンＳの前面の下端部にメダル排出口９から排出されるメダルＭを貯留するためのメダル貯留皿１０が装着されている。１１はその一側に設けられるスピーカ、１２はその上部に配置される警報ブザーである。また、スロットマシンＳの上面には警報ランプ１３が装着されている。
【００１３】
前記スロットマシンＳの内部であってメダル投入口４の下方には、投入メダル検出装置１４が配置される。本実施の形態のスロットマシンＳでは、従来例で示した投入メダル検出装置１４が使用されることから、従来例で示した投入メダル検出装置１４をもう少し詳しく説明する。
【００１４】
図６（イ）に示すように投入メダル検出装置１４は、上端にメダル投入口４と連通し投入されたメダルＭを受け入れる受入口１５を有すると共に下端に流下するメダルＭをメダル排出装置（図示せず。）へ排出する排出口１６を有するメダル誘導樋１７を備えている。このメダル誘導樋１７は、その内幅がメダルＭの厚さよりも若干広い寸法に成形され、斜めに下り傾斜している。
【００１５】
前記排出口１６の上流側に、メダル計数器１８が設けられる。該メダル計数器１８には、２個の光センサー１９ａ，１９ｂをメダル流下方向に沿って並設してあり、メダル誘導樋１７を流下して排出口１６から排出されるメダル数を計数するようにしている。２個の光センサー１９ａ，１９ｂをメダル流下方向に沿って並設したのは、流下するメダル数を計数するほかに、メダルＭが通過する方向を検知して不正行為を防止するためである。
【００１６】
前記メダル計数器１８の上流側にメダル誘導樋１７の底部をメダルＭの直径よりも若干広い長さで切り欠いてメダル振分口２０が開設される。このメダル振分口２０には、このメダル振分口２０を開閉自在に塞ぐメダル振分器２１が取着される。メダル振分器２１は、メダル誘導樋１７の幅方向に揺動可能に取り付けてあり、一側面にメダル振分器２１を揺動させるための駆動装置２２が取着されている。
【００１７】
この駆動装置２２は、例えばソレノイド（図示せず。）からなり、そのプランジャの先端部がメダル振分器２１の一側面に取り付けられる。そして、常には、バネ等の付勢部材（図示せず）の付勢によりプランジャが突出した状態となっており、メダル振分器２１はメダル振分口２０を塞いでいる。ソレノイドが励磁すると、付勢部材の付勢に抗してプランジャが吸引され、プランジャに連結したメダル振分器２１が揺動してメダル振分口２０を開ける。一方、ソレノイドが消磁すると、プランジャが付勢部材の付勢により突出し、メダル振分器２１が戻りメダル振分口２０を塞ぐようになっている。
【００１８】
前記メダル振分器２１は、常には、メダル振分口２０を塞いでおり、メダル誘導樋１７をメダルＭが流下するようになっている。そして、メダル計数器１８が、予め定めた一遊技あたりの最大投入数及びクレジットの最大保留数（５０個）のメダルＭを計数するか、あるいは始動レバー７の作動によりスタートスイッチ（図示せず）がＯＮすると、ソレノイドを励磁してプランジャを吸引し、メダル振分器２１を揺動させてメダル振分口２０を開け、メダル誘導樋１７を流下してきたメダルＭをメダル振分口２０に排出させる。これらメダルＭはメダル貯留皿１０に排出される。その後、ゲームが終了した場合には、ソレノイドが消磁してプランジャを突出し、メダル振分器２１を戻しメダル振分口２０が塞がれる。
【００１９】
前記メダル振分器２１の上流側に、メダルＭの通過方向を検知するための通過方向検知装置２３が設けられる。該通過方向検知装置２３は、２個の光センサー２４ａ，２４ｂがメダルＭの流下方向に沿って並設されており、前記メダル計数器１８により行ったメダルＭの通過方向の検知と同様に検知を行う。
【００２０】
すなわち、メダルＭが正規に流下した場合には、先ず上流側の光センサー２４ａがメダルＭを検知し、続いて下流側の光センサー２４ｂがメダルＭを検知することとなる。一方、一旦投入したメダルＭを引き戻したりする等の不正行為を行った場合には、メダルＭは下流側から上流側に向かって移動することになり、先ず、下流側の光センサー２４ｂがメダルＭを検知し、続いて上流側の光センサー２４ａがメダルＭを検知することとなる。この場合、メダルＭ以外に、不正用遮光板Ｂを用いた不正に対しても同様に動作をすることとなる。したがって、前記通過方向検知装置２３の検知に基づき、正規に投入されたメダルＭを通過方向検知装置２３が検知した場合を記憶しておき、記憶した正規の検知信号と比較して該正規の検知信号と異なる場合には、不正行為が行われたと判断する。
【００２１】
前記通過方向検知装置２３と受入口１５との間のメダル誘導樋１７には側壁に横長長方形状の異径メダル選別開口部２５が開設されている。この異径メダル選別開口部２５は、下辺がメダル誘導樋１７の底面より若干上方に位置し、上辺がメダル誘導樋１７を流下する正規のメダルＭの高さ（直径）よりも若干下方に位置している。この上辺の位置を調整することにより、選別するメダルＭの直径を調節することができる。
【００２２】
したがって、メダル誘導樋１７を流下する正規のメダルＭは、異径メダル選別開口部２５を通過する。一方、正規のメダルＭよりも小さい直径を有する異径メダルは、異径メダル選別開口部２５を通過する際に、その異径メダル選別開口部２５から落ち、メダル貯留皿１０に排出される。なお、正規のメダルＭよりも小さい直径を有する異径メダルは、上記した異径メダル選別開口部２５により選別するが、正規のメダルＭよりも大きい直径を有する異径メダルは、メダル投入口４の大きさを正規のメダルＭよりも若干大きくすることで選別することができる。
【００２３】
そこで、メダル投入口４にメダルＭを投入すると、投入メダル検出装置１４で検知され遊技ができる状態になる。そして、始動レバー７を作動させることにより各リール２が一斉に回転し、所定時間または各停止釦スイッチ８を押すことにより各リール２がそれぞれ停止し、このとき横または斜めに同じ情報が揃うとその情報に応じて所定数のメダルＭがメダル排出口９を介してメダル貯留皿１０に排出されるようになっている。なお、メダルＭが１枚であると、前記各情報が揃うラインが一つであるが、２枚、３枚になると三または五つに増えるようになっている。
【００２４】
本発明にあっては、前記メダル投入口４に不正用遮光板Ｂの侵入を防ぐ不正防止具Ａが取り付けられる。不正防止具Ａは、例えば、硬質の金属材料または硬質の合成樹脂材料により成形され、図２に示すようにアーチ状をなす平板状の邪魔部材２６と、その両側下端に直角に折り曲げられて設けられる取付板２７から構成される。邪魔部材２６は、前記ガイド板６と投影してほぼ直交し、該ガイド板６の両側と上部を僅かな隙間を開けて囲う大きさに成形されている。
【００２５】
そして、図３、図４に示すように前記両取付板２７，２７の裏側に接着剤を塗布し、邪魔部材２６でガイド板６を囲うようにして取付板２７，２７を段部３の上面に剥離不能に固着する。この際、邪魔部材２６は、ガイド板６の外周縁に沿って配置されその外周縁を囲うと共に前記メダル投入口４側へ所定の幅突出して該メダル投入口４を囲うようになっている。
前記邪魔部材２６の前端縁２６ａはガイド板６の前面６ａとほぼ平行をなし、前記所定の幅であるガイド板６の前面６ａと邪魔部材２６の前端縁２６ａとの距離Ｌは７〜１０ｍｍが好ましい。なお、邪魔部材２６は、平板状でなく例えば横断面が円形または楕円形でも良い。
【００２６】
このように本発明の不正防止具Ａは、メダル投入口４を邪魔部材２６で囲うようにしたので、図５に示すようにメダル投入口４の真上からはもちろん、斜めの方向からメダル投入口４に不正用遮光板Ｂを侵入させようとしても、邪魔部材２６が邪魔してメダル投入口４内への不正用遮光板Ｂの侵入が阻止される。特に、メダル投入口４の前端縁は円弧状に成形されていることから、前側からではメダル投入口４内に不正用遮光板Ｂを侵入させることはできないことになる。これにより、不正用遮光板Ｂによる不正行為が防止される。
【００２７】
前記不正防止具Ａは、スロットマシンＳとは別に成形したが、基台５または段部３を成形する際、これらと一体に成形してスロットマシンＳを組立てるようにしても良い。このようにすれば、始から不正防止具Ａが備えられたスロットマシンＳが準備できる。
【図面の簡単な説明】
【００２８】
【図１】本発明に係る不正防止具が適用されるスロットマシンの正面図。
【図２】不正防止具の斜視図。
【図３】不正防止具をメダル投入口に取付けた状態の斜視図。
【図４】同平面図。
【図５】同側面断面図。
【図６】（イ）は投入メダル検出装置の正面図。                                        （ロ）は同不正行為が行われる状態を示す断面図。
【符号の説明】
【００２９】
４          メダル投入口
６          ガイド板
２６        邪魔部材
Ａ          不正防止具
Ｂ          不正用遮光板
Ｓ          遊技機（スロットマシン）
【図１】
2005185359.tif 000003
【図２】
2005185359.tif 000004
【図３】
2005185359.tif 000005
【図４】
2005185359.tif 000006
【図５】
2005185359.tif 000007
【図６】
2005185359.tif 000008